(57)【特許請求の範囲】
【請求項１】
レンズ、
前記レンズを載置するように配置されたレンズホルダー、
光入射側面および光出射側面を有するベース、
前記レンズホルダーが前記ベースに対応して移動するように配置された駆動アセンブリ、および
外部回路と前記駆動アセンブリに電気的に連結され、その一部が前記ベースの中に埋設され、且つ
前記光出射側面から露出する第１のセグメントと、
前記光出射側面から露出する第２のセグメントと、
前記第１のセグメントと前記第２のセグメントの間に配置され、前記光入射側面から露出する中間部セグメントと、を含む電気端子、を含み、
前記レンズの光軸に平行な方向から見て、前記中間部セグメントを前記第１のセグメントに連結する第１の境界と、前記中間部セグメントを前記第２のセグメントに連結する第２の境界とは、互いに垂直であり、
前記第２のセグメントは、下当接面を有し、前記下当接面は、前記光出射側面から露出し、且つ前記光出射側面と同一面上に配置されるレンズ駆動モジュール。
【請求項２】
前記第１のセグメント、前記第２のセグメント、および前記中間部セグメントは、同じ厚さを有する請求項１に記載のレンズ駆動モジュール。
【請求項３】
前記中間部セグメントは、上当接面を有し、前記上当接面は前記光入射側面から露出し、且つ前記光入射側面と同一面上に配置される請求項１に記載のレンズ駆動モジュール。
【請求項４】
レンズ、
前記レンズを載置するように配置されたレンズホルダー、
光入射側面および光出射側面を有するベース、
前記レンズホルダーが前記ベースに対応して移動するように配置された駆動アセンブリ、および
外部回路と前記駆動アセンブリに電気的に連結され、その一部が前記ベースの中に埋設され、且つ
前記光出射側面から露出する第１のセグメントと、
前記光出射側面から露出する第２のセグメントと、
前記第１のセグメントと前記第２のセグメントの間に配置され、前記光入射側面から露出する中間部セグメントと、を含む電気端子、を含み、
前記レンズの光軸に平行な方向から見て、前記中間部セグメントを前記第１のセグメントに連結する第１の境界と、前記中間部セグメントを前記第２のセグメントに連結する第２の境界とは、互いに垂直であり、
前記第２のセグメントは、下当接面を有し、前記下当接面は、前記光出射側面から露出し、且つ前記中間部セグメントは、上当接面を有し、前記上当接面は前記光入射側面から露出し、前記下当接面は、前記上当接面と平行であるレンズ駆動モジュール。
【請求項５】
レンズ、
前記レンズを載置するように配置されたレンズホルダー、
光入射側面および光出射側面を有するベース、
前記レンズホルダーが前記ベースに対応して移動するように配置された駆動アセンブリ、および
外部回路と前記駆動アセンブリに電気的に連結され、その一部が前記ベースの中に埋設され、且つ
前記光出射側面から露出する第１のセグメントと、
前記光出射側面から露出する第２のセグメントと、
前記第１のセグメントと前記第２のセグメントの間に配置され、前記光入射側面から露出する中間部セグメントと、を含む電気端子、を含み、
前記レンズの光軸に平行な方向から見て、前記中間部セグメントを前記第１のセグメントに連結する第１の境界と、前記中間部セグメントを前記第２のセグメントに連結する第２の境界とは、互いに垂直であり、
前記第２のセグメントは、
前記中間部セグメントから下方向に延伸し、終端である中間境界線まで延伸し、前記中間部セグメントに対して垂直に配置される第１のサブセグメント、および
前記中間境界線から前記中間部セグメントに対して離れる方向に向けて延伸し、前記光出射側面から露出する下当接面を有し、前記第１のサブセグメントに対して垂直に配置される第２のサブセグメントを含むレンズ駆動モジュール。
【請求項６】
前記第１のサブセグメントの延伸の長さは、前記光入射側面と前記光出射側面の距離より小さい請求項５に記載のレンズ駆動モジュール。
【請求項７】
レンズ、
前記レンズを載置するように配置されたレンズホルダー、
光入射側面および光出射側面を有するベース、
前記レンズホルダーが前記ベースに対応して移動するように配置された駆動アセンブリ、および
外部回路と前記駆動アセンブリに電気的に連結され、その一部が前記ベースの中に埋設され、且つ
前記光出射側面から露出する第１のセグメントと、
前記光出射側面から露出する第２のセグメントと、
前記第１のセグメントと前記第２のセグメントの間に配置され、前記光入射側面から露出する中間部セグメントと、を含む電気端子、を含み、
前記レンズの光軸に平行な方向から見て、前記中間部セグメントを前記第１のセグメントに連結する第１の境界と、前記中間部セグメントを前記第２のセグメントに連結する第２の境界とは、互いに垂直であり、
前記ベースは、前記光入射側面と前記光出射側面とを連結する側面を有し、前記第２のセグメントは、前記側面から露出するレンズ駆動モジュール。
【請求項８】
レンズ、
前記レンズを載置するように配置されたレンズホルダー、
光入射側面および光出射側面を有するベース、
前記レンズホルダーが前記ベースに対応して移動するように配置された駆動アセンブリ、および
外部回路と前記駆動アセンブリに電気的に連結され、その一部が前記ベースの中に埋設され、且つ
前記光出射側面から露出する第１のセグメントと、
前記光出射側面から露出する第２のセグメントと、
前記第１のセグメントと前記第２のセグメントの間に配置され、前記光入射側面から露出する中間部セグメントと、を含む電気端子、を含み、
前記レンズの光軸に平行な方向から見て、前記中間部セグメントを前記第１のセグメントに連結する第１の境界と、前記中間部セグメントを前記第２のセグメントに連結する第２の境界とは、互いに垂直であり、
スプリングシートを更に含み、前記スプリングシートは、前記レンズホルダーをサポートするように配置され、且つ位置決め孔を含み、前記電気端子は、前記位置決め孔に対応する位置決めバンプを有するレンズ駆動モジュール。
【請求項９】
レンズ、
前記レンズを載置するように配置されたレンズホルダー、
光入射側面および光出射側面を有するベース、
前記レンズホルダーが前記ベースに対応して移動するように配置された駆動アセンブリ、および
外部回路と前記駆動アセンブリに電気的に連結され、その一部が前記ベースの中に埋設され、且つ
前記光出射側面から露出する第１のセグメントと、
前記光出射側面から露出する第２のセグメントと、
前記第１のセグメントと前記第２のセグメントの間に配置され、前記光入射側面から露出する中間部セグメントと、を含む電気端子、を含み、
スプリングシートを更に含み、前記スプリングシートは、前記レンズホルダーをサポートするように配置され、且つ位置決め孔を含み、前記電気端子は、前記位置決め孔に対応する位置決めバンプを有するレンズ駆動モジュール。
【請求項１０】
前記第２のセグメントは、下当接面を有し、前記下当接面は、前記光出射側面から露出し、且つ前記光出射側面と同一面上に配置される請求項９に記載のレンズ駆動モジュール。
【請求項１１】
前記中間部セグメントは、上当接面を有し、前記上当接面は前記光入射側面から露出し、且つ前記光入射側面と同一面上に配置される請求項９に記載のレンズ駆動モジュール。
【請求項１２】
前記第２のセグメントは、下当接面を有し、前記下当接面は、前記光出射側面から露出し、且つ前記中間部セグメントは、上当接面を有し、前記上当接面は前記光入射側面から露出し、前記下当接面は、前記上当接面と平行である請求項９に記載のレンズ駆動モジュール。
【請求項１３】
前記第２のセグメントは、
前記中間部セグメントから下方向に延伸し、終端である中間境界線まで延伸し、前記中間部セグメントに対して垂直に配置される第１のサブセグメント、および
前記中間境界線から前記中間部セグメントに対して離れる方向に向けて延伸し、前記光出射側面から露出する下当接面を有し、前記第１のサブセグメントに対して垂直に配置される第２のサブセグメントを含む請求項９に記載のレンズ駆動モジュール。
【請求項１４】
前記第１のサブセグメントの延伸の長さは、前記光入射側面と前記光出射側面の距離より小さい請求項１３に記載のレンズ駆動モジュール。
【請求項１５】
前記ベースは、前記光入射側面と前記光出射側面とを連結する側面を有し、前記第２のセグメントは、前記側面から露出する請求項９に記載のレンズ駆動モジュール。
【請求項１６】
前記第１のセグメント、前記第２のセグメント、および前記中間部セグメントは、同じ厚さを有する請求項９に記載のレンズ駆動モジュール。
【発明の詳細な説明】
【技術分野】
【０００１】
本出願は、２０１５年１１月２０日に出願された台湾特許出願番号第１０４１３８４０９号についての優先権を主張するものであり、これらの全ては引用によって本願に援用される。
【０００２】
本発明は、駆動モジュールに関し、特に、電磁効果を用いて機械エネルギーを生成するレンズ駆動モジュールに関するものである。
【背景技術】
【０００３】
電子装置は、通常、構成要素を駆動して一定の距離を移動させる駆動モジュールを配置している。例えば、画像取込機能を有する電子装置は、通常、駆動モジュールを含んで１つ以上の光学レンズユニットを駆動し、光軸に沿って移動させ、オートフォーカスとオートズームの機能を達成する。
【０００４】
しかしながら、従来の駆動モジュールは、高コストの精密な駆動素子を、構成要素を駆動させる動力源（例えば、ステッパモータ、超音波モータ、圧電アクチュエータなど）として、かなり多くの伝動要素を用いている。これは、機械の構造を複雑にするだけでなく、組み立てのステップが容易でない、体積が大きい、製造コストが高い、且つ消費電力が大きいなどの欠点を有し、価格を下げることができなくなる。
【０００５】
従って、小型、且つ簡単な構造の利点のある駆動モジュールが、当業者の進める研究開発の対象となっている。
【先行技術文献】
【特許文献】
【０００６】
【特許文献１】特開２００７−１６４１４４
【発明の概要】
【発明が解決しようとする課題】
【０００７】
これに鑑み、本発明の１つの課題は、動力を提供して、電子製品内のレンズを駆動して移動させるように配置する駆動アセンブリを提供する。
【課題を解決するための手段】
【０００８】
本発明の実施形態に係る、上述のレンズ駆動モジュールは、レンズ、レンズホルダー、ベース、駆動アセンブリ、および電気端子を含む。レンズホルダーは、レンズを載置するように配置される。ベースは、光入射側面および光出射側面を有する。駆動アセンブリは、レンズホルダーがベースに対応して移動するように配置される。電気端子は、外部回路と駆動アセンブリに電気的に連結する。電気端子の一部は、ベースの中に埋設され、且つ電気端子は、第１のセグメント、第２のセグメント、および中間部セグメントを含む。第１のセグメントは、光出射側面から露出する。第２のセグメントは、光出射側面から露出する。中間部セグメントは、第１のセグメントと第２のセグメントの間に配置され、光入射側面から露出する。
【０００９】
上述の実施形態では、第２のセグメントは、下当接面を有し、下当接面は、光出射側面から露出し、且つ光出射側面と同一面上に配置される。
【００１０】
上述の実施形態では、中間部セグメントは、上当接面を有し、上当接面は光入射側面から露出し、且つ光入射側面と同一面上に配置される。
【００１１】
上述の実施形態では、第２のセグメントは、下当接面を有し、下当接面は、光出射側面から露出し、且つ中間部セグメントは、上当接面を有し、上当接面は光入射側面から露出し、下当接面は、上当接面と平行である。
【００１２】
上述の実施形態では、電気端子は、平板で構成され、レンズの光軸に平行である方向から見て、中間部セグメントを第１のセグメントに連結する第１の境界と中間部セグメントを第１のセグメントに連結する第２の境界は、互いに垂直である。
【００１３】
上述の実施形態では、第２のセグメントは、第１のサブセグメントと第２のサブセグメントを含む。第１のサブセグメントは、中間部から下方向に延伸して、中間境界線で終端し、第１のサブセグメントと中間部セグメントは垂直に配置され、且つ第１のサブセグメントの延伸の長さは、光入射側面と光出射側面の距離より小さい。第２のサブセグメントは、中間境界線から中間部セグメントを離れる方向に向けて延伸し、第２のサブセグメントの下表面は、光出射側面から露出し、第２のサブセグメントと第１のサブセグメントは、垂直に配置される。
【００１４】
上述の実施形態では、ベースは、光入射側面と光出射側面に連結した側面を有し、第２のセグメントは、同時に側面から露出する。
【００１５】
上述の実施形態では、第１のセグメント、第２のセグメント、および中間部セグメントは、同じ厚さを有する。
【００１６】
上述の実施形態では、レンズ駆動モジュールは、スプリングシートを更に含み、スプリングシートは、レンズホルダーをサポートするように配置され、且つ位置決め孔を含む。電気端子は、位置決め孔に対応する位置決めバンプを有する。
【００１７】
本発明のレンズ駆動モジュールの電気端子をベースに結合する過程では、位置決め部材を用いて、上当接面および下当接面を当接して位置決めを行う。上当接面および下当接面の配置位置は、予め形成されたベースの外部に位置するため、位置決め部材が除去された後、ベース上に空孔が残らない。従って、ベースとその他の素子を連結するのに用いられる液体連結材料は、ベースの表面を均一に塗布され、構造の強度を強化することができる。
【図面の簡単な説明】
【００１８】
【図１】本発明の一部の実施形態のレンズ駆動モジュールの分解図である。
【図２Ａ】本発明の一部の実施形態の電気端子の概略図を示している。
【図２Ｂ】本発明の一部の実施形態の電気端子の概略図を示している。
【図３Ａ】本発明の一部の実施形態のベースと電気端子の概略図を示している。
【図３Ｂ】本発明の一部の実施形態のベースと電気端子の概略図を示している。
【図４】本発明の一部の実施形態のレンズ駆動モジュールの一部の構成要素の概略図を示している。
【図５】本発明の一部の実施形態のベースに連結したレンズ駆動モジュールの側面図を示している。
【発明を実施するための形態】
【００１９】
以下、本発明のレンズ駆動モジュールを詳細に説明する。本発明の目的、特徴並び発明の効果をより詳細に理解させるため、以下好適な実施例と添付の図面により、本発明の技術的事項をより詳細に説明する。実施形態の中の各構成要素の配置は、説明のためのものであり、本発明を限定するものではない。また、類似の番号および／または対応の番号の使用は、説明を明瞭にするためのものであり、異なる実施形態間の相関関係を示唆するものではない。また、各図式で示される部材の大きさおよび位置関係などを明確に説明するために、拡大され、縮尺通りに描かれない可能性がある。
【００２０】
以下の実施形態で述べられる方向の用語、例えば、上、下、左、右、前、または後などは、図式の方向に付加して参考のためだけのものである。従って、使用する方向用語は、説明のために用いられるものであり、本発明を限定するものではない。本発明の図面の構成要素または装置は、当業者に公知のどんな形式または構成にも存在することができるということが留意されるべきである。また、「もう１つの層を覆う（ｏｖｅｒｌｙｉｎｇ）層」、「層はもう１つの層の上方（ａｂｏｖｅ）に配置される」、「層はもう１つの層上（ｏｎ）に配置される」、および「層はもう１つの層の上方（ｏｖｅｒ）に配置される」などの表現は、層がもう１つの層と直接接触することを指すだけでなく、層がもう１つの層とは直接接触せず、層ともう１つの層との間に配置された１つ以上の中間層があることも指すことができる。
【００２１】
また、この明細書では、関連する表現が用いられる。例えば、「より低い」、「底部」、「より高い」、または「上部」は、もう１つに対する１つの構成要素の位置を説明するのに用いられる。仮に装置が上下反転された場合、「より低い」側の構成要素は、「より高い」側の構成要素となる、ということが了解されるべきである。
【００２２】
用語「約」および「大抵」は、一般的に、所定値の＋／−２０％を意味し、より一般的に、所定値の＋／−１０％を意味し、さらにより一般的に、所定値の＋／−５％を意味する。本発明の所定値は、近似値である。特定の説明がないとき、所定値は、「約」または「大抵」の意味を含む。
【００２３】
図１は、本発明の実施形態のレンズ駆動モジュール１の構成要素の分解図である。いくつかの実施形態では、レンズ駆動モジュール１は、ボイスコイルモータ（ＶＣＭ）であり、上ハウジング１０、レンズ１１、上スプリングシート１２と下スプリングシート１３などの複数のスプリングシート、レンズホルダー１４、駆動アセンブリ１５、位置センサユニット１８、ベース１９、および２つの電気端子２０を含む。理解すべきことは、レンズ駆動モジュール１の構成要素は、適切に増加、または減少することができ、これを限定するものではない。
【００２４】
上ハウジング１０とベース１９は、互いに連結し、レンズ駆動モジュール１のその他の構成要素を収容する空間を定義する。一部の実施形態では、上ハウジング１０は、上部ハウジング部材１０５および上部ハウジング部材１０５の縁部からベース１９に向けて延伸する１つ以上の側部ハウジング部材１０１を含む。開口１０３は、上部ハウジング部材１０５の略中央に形成される。上スプリングシート１２と下スプリングシート１３は、レンズホルダー１４をサポートするように配置され、レンズホルダー１４が垂直方向（Ｚ方向）に沿って移動可能な方式で上ハウジング１０とベース１９内に設置されるようにする。一部の実施形態では、上スプリングシート１２は、上ハウジング１０に固定され、且つ下スプリングシート１３はベース１９に固定される。一部の実施形態では、下スプリングシート１３は、ベース１９に設置された電気端子２０によって外部回路（図示されていない）に電気的に接続される。下スプリングシート１３と電気端子２０の接続関係に関しては、後に説明を行う。
【００２５】
レンズホルダー１４は、レンズ１１を載置するように配置される。一部の実施形態では、レンズホルダー１４は、通路１４６によって貫通される。一部の実施形態では、レンズホルダー１４は、通路１４６の周囲を囲む１つ以上の外側面を含む。例えば図１に示されるように、レンズホルダー１４は、４つの外側面１４１を含む。
【００２６】
駆動アセンブリ１５は、外部制御信号に従って、レンズ駆動モジュール１の一部の素子の移動を駆動するように配置される。一部の実施形態では、駆動アセンブリ１５は、レンズの焦点距離を変えるように用いられるＡＦ駆動ユニットである。駆動アセンブリ１５は、２つの磁性素子１６およびコイル１７を含む。駆動アセンブリ１５は、レンズホルダー１４が垂直方向（Ｚ方向）に移動する駆動をするように配置され、オートフォーカスとオートズームの機能を達成する。
【００２７】
２つの磁性素子１６は、上ハウジング１０の側部ハウジング部材１０１上に設置される。一部の実施形態では、上ハウジング１０は、磁性材料でできており、２つの磁性素子１６は、レンズホルダー１４の内表面上に対向する上ハウジング１０の側部ハウジング部材１０１に直接付着する。従って、２つの磁性素子１６の組み立てのプロセスは、簡易化されることができる。
【００２８】
コイル１７は、レンズホルダー１４の外側面を囲む環状構造であり、且つ電流を流すように配置され、磁場を生成して上ハウジング１０とベース１９に対してレンズホルダー１４を移動させる。一部の実施形態では、コイル１７は、下スプリングシート１３に電気的に接続される。外部からの電流は、電気端子２０と下スプリングシート１３を流れ、コイル１７に伝送される。
【００２９】
注意すべきことは、本発明の駆動アセンブリ１５の配置は、上述の実施形態に限定されるものではないことである。他のいくつかの図示されていない実施形態では、駆動アセンブリ１５は、画像品質を向上させるように用いられるＯＩＳ駆動ユニットである。駆動アセンブリ１５は、４つのコイル（図示されていない）、および上述の４つのコイルに対応してそれぞれ設置された４つの磁性素子（図示されていない）を含む。駆動アセンブリ１５は、レンズホルダー１４が水平方向に移動する駆動をするように配置され、手ぶれ防止の機能を達成する。
【００３０】
位置センサユニット１８は、レンズホルダー１４の位置を検出するように配置される。一部の実施形態では、位置センサユニット１８は、基準素子１８１およびセンサ素子１８３を含む。センサ素子１８３は、レンズホルダー１４の外側面１４１の上に設置される。基準素子１８１は、センサ素子１８３に対応して上ハウジング１０に設置される。一部の実施形態では、基準素子１８１は、永久磁石であり、且つセンサ素子１８３は、ホール効果センサ（Ｈａｌｌ Ｅｆｆｅｃｔ Ｓｅｎｓｏｒ）である。センサ素子１８３は、基準素子１８１の磁場の変化を検知し、基準素子１８１の位置を判断することによって、レンズホルダー１４の位置を測定する目的を達成する。その他の一部の実施形態では、基準素子１８１は、光エミッタを含み、且つセンサ素子１８３は、位置信号受信器を含む。センサ素子１８３は、基準素子１８１からの位置信号を受信し、基準素子１８１の位置を判断することによって、レンズホルダー１４の位置を測定する目的を達成する。一部の実施形態では、センサ素子１８３で生成された電子信号も電気端子２０によって制御システム（図示されていない）に伝送される。制御システムは、センサ素子１８３で生成された電子信号に従って、供給する電流量を調整する。
【００３１】
ベース１９は、光入射側面１９１、光出射側面１９２、および１つ以上の側面を含む。例えば、図１に示されるように、ベース１９は、４つの側面１９３を含む。光入射側面１９１は、上ハウジング１０に面し、レンズホルダー１４に隣接する。光出射側面１９２は、光入射側面１９１に対向する。側面１９３は光入射側面１９１と光出射側面１９２の間を連結する。開口１９５は開口１０３と整列し、ベース１９の略中央に形成される。
【００３２】
２つの電気端子２０は、駆動アセンブリ１５と外部回路に電気的に接続されるように配置される。一部の実施形態では、２つの電気端子２０は、隣接する２つの側面１９３の交わるコーナー部の近傍にそれぞれ設置される。２つの電気端子２０は、ベース１９の内部に一部が埋設され、他の一部が、ベース１９の外部に露出する。
【００３３】
図２Ａ、図２Ｂは、本発明の一部の実施形態の電気端子２０の概略図を示している。電気端子２０の特徴を明確に示すために、以下の内容では、電気端子２０は、第１のセグメント２１０、第２のセグメント２２０、および中間部セグメント２３０に分けて説明を行う。一部の実施形態では、電気端子２０は、均一の厚さを有する金属板を打ち抜き加工することによって作製されるため、第１のセグメント２１０、第２のセグメント２２０、および中間部セグメント２３０は一体成型され、且つ第１のセグメント２１０、第２のセグメント２２０、および中間部セグメント２３０は、均一の厚さを有することができる。
【００３４】
中間部セグメント２３０と第１のセグメント２１０は、第１の境界２３１で分けられ、且つ中間部セグメント２３０と第２のセグメント２２０は、第２の境界２３２で分けられる。中間部セグメント２３０は、第１の平面Ｐ１に沿って延伸する。第１の平面Ｐ１に垂直な方向から見た第１の境界２３１は、第２の境界２３２に実質的に垂直である。上述の配置方式によって、小型化の設計の目的を達成する。中間部セグメント２３０の幅は、第１のセグメント２１０および／または第２のセグメント２２０の幅に比べて大きく、且つ位置決めバンプ２３３は、中間部セグメント２３０の上表面２３４に形成され、下スプリングシート１３と電気的に接続される。位置決めバンプ２３３と下スプリングシート１３の連結方式およびそれによって生じる効果は、図４の実施形態で説明を行う。
【００３５】
第１のセグメント２１０は、第１の境界２３１から下向きに延伸し、終端である第１の縁部２１１まで延伸する。一部の実施形態では、第１のセグメント２１０は、中間部セグメント２３０に垂直であり、第１のセグメント２１０は、延伸した長さＬ１を有する。延伸した長さＬ１は、ベース１９（図１）の厚さＴ（光入射側面１９１と光出射側面１９２の距離）より大きい。一部の実施形態では、延伸した長さＬ１は、接続される導電性ソケット（図示されていない）によって決まる。一部の実施形態では、第１のセグメント２１０は、単一の幅を有するが、本発明は、これを限定するものではない。一部の図示されていない実施形態では、第１のセグメント２１０は、幅の変化を有する。例えば、第１のセグメント２１０の第１の縁部２１１の幅は、徐々に減少されて、導電性ソケットに電気的に接続され易くなる。
【００３６】
第２のセグメント２２０は、第１のサブセグメント２２１および第２のサブセグメント２２２を含む。一部の実施形態では、第１のサブセグメント２２１は、第２の境界２３２から下向きに延伸し、終端である中間境界線２２３まで延伸する。第１のサブセグメント２２１は、中間部セグメント２３０に垂直であり、且つ第１のサブセグメント２２１は、延伸した長さＬ２を有する。延伸した長さＬ２は、ベース１９（図１）の厚さＴ（光入射側面１９１と光出射側面１９２の距離）より小さいか、またはベース１９の厚さＴと等しい。延伸した長さＬ２とベース１９（図１）の厚さの差は、電気端子２０の厚さより小さいか、または電気端子２０の厚さと等しい。
【００３７】
また、第２のサブセグメント２２２は、中間境界線２２３から中間部セグメント２３０に対して離れる方向に向けて第２の平面Ｐ２に沿って延伸し、終端である第２の縁部２２４まで延伸する。一部の実施形態では、第２のサブセグメント２２２が位置している第２の平面Ｐ２は、中間部セグメント２３０が位置する第１の平面Ｐ１に平行である。従って、第２のサブセグメント２２２の下表面２２５は、中間部セグメント２３０の上表面２３４に平行であるが、しかしながら本発明はこれを限定するものではない。第１の平面Ｐ１は、第２の平面Ｐ２に平行でなくてもよい。
【００３８】
一部の実施形態では、電気端子２０とベース１９の連結方法の説明は、下記の通りである。
【００３９】
まず、２つの電気端子２０を提供し、２つの電気端子２０を鋳型（図示されていない）の中に配置する。一部の実施形態では、２つの電気端子２０は、各々の第２の縁部２２４によって２つのフレーム（図示されていない）に接続される。各フレームは、複数の電気端子２０をそれぞれ含む。製造プロセスでは、各フレームの複数の電気端子は、対応する鋳型（図示されていない）の中にそれぞれ配置される。
【００４０】
次いで、１つ以上の位置決め部材（図示されていない）は、中間部セグメント２３０の上表面２３４および第２のサブセグメント２２２の下表面２２５と同時に当接され、電気端子２０の移動を制限する。注意すべきことは、中間部セグメント２３０の上表面２３４は、第２のサブセグメント２２２の下表面２２５に対して平行であるため、電気端子２０の位置は、位置決め部材によって安定して固定されることができるということである。以下の内容では、上表面２３４は、「上当接面」で代替し、且つ下表面２２５は、「下当接面」で代替する。
【００４１】
次いで、インサート成形工程を行う。インサート成形工程では、加圧する液体のプラスチック材料が上述の鋳型の中に注入される。このとき、２つの電気端子２０の上当接面２３４、下当接面２２５、および第２の縁部２２４の位置は、全て制限されるため、上述の加圧する液体のプラスチック材料の注入のプロセス中に、電気端子２０の振動、または移動が生じない。
【００４２】
次いで、硬化温度下で既定の時間、静置させる。次いで、上当接面２３４および下当接面２２５に当接した位置決め部材を除去し、電気端子２０の第２の縁部２２４とフレームを切断する。次いで、硬化後のプラスチック材料を鋳型から取り出し、ベース１９と電気端子２０の連結を完成する。
【００４３】
図３Aおよび図３Ｂは、本発明の一部の実施形態のベース１９と電気端子２０の概略図を示している。ベース１９と電気端子２０の連結後、電気端子２０の第１のセグメント２１０、第２のセグメント２２０、および中間部セグメント２３０とベース１９との構造関係は、以下のように説明される。
【００４４】
電気端子２０の中間部セグメント２３０は、ベース１９の光入射側面１９１に隣接して設置される。その中の電気端子２０の上当接面２３４は、ベース１９の光入射側面１９１から露出し、上当接面２３４は、直ぐ隣接した光入射側面１９１と同一面上に配置される。上当接面２３４の下に位置する中間部セグメント２３０の一部は、ベース１９内に埋設され、ベース１９の外部に露出しない。中間部セグメント２３０に隣接した電気端子２０の第１のセグメント２１０の一部は、ベース１９内に埋設され、且つ第１の縁部２１１に近接した第１のセグメント２１０の他の一部は、光出射側面１９２の外部に露出する。
【００４５】
第２のセグメント２２０の第１のサブセグメント２２１は、ベース１９内に完全に埋設される。第２のセグメント２２０の第２のサブセグメント２２２は、一部がベース１９の光出射側面１９２から外部に露出する。図３Ｂに示されるように、第２のサブセグメント２２０に位置する下当接面２２５は、光出射側面１９２から外部に露出しており、且つ下当接面２２５は、直ぐ隣接した光出射側面１９２と同一面上に配置される。下当接面２２５の上に位置した第２のサブセグメント２２０の一部は、ベース１９内に埋設され、ベース１９の外部に露出しない。また、フレーム（図示されていない）から分離した第２の縁部２２４は、ベース１９の側面から外部に露出する。第２の縁部２２４は、側面１９３と同一面上に配置されるか、または側面１９３から突出されてもよい。
【００４６】
注意すべきことは、電気端子２０の上当接面２３４と下当接面２２５は、ベース１９の外部へ露出するように配置されるため、ベース１９は、追加の厚さを増加させて上当接面２３４と下当接面２２５をカバーする必要がなくなり、ベース１９の厚さは、よって減少されることができ、薄型化の設計の要求に適うことができるということである。
【００４７】
図４は、本発明のレンズ駆動モジュール１の一部の構成要素の概略図を示している。下スプリングシート１３は、電気端子２０の上当接面２３４（図３Ａ）によって電気端子２０と電気的に接続される。一部の実施形態では、下スプリングシート１３は、電気端子２０の位置決めバンプ２３３に対応する位置決め孔１３１を含む。位置決めバンプ２３３と位置決め孔１３１の連結によって、下スプリングシート１３は、同一面上に上当接面２３４に当接することができ、湾曲を生じない。従って、下スプリングシート１３と電気端子２０との間の電気的な接続が確保され得る。なお、下スプリングシート１３は、ベース１９の四角に配置されるコーナー部１３ａのみがレンズ駆動モジュール１の構成部品となり、コーナー部１３ａを連結する連結フレーム１３ｂは、組み立て後にコーナー部１３ａから切り離され、除去される。
【００４８】
図５は、本発明の基板３に連結したレンズ駆動モジュール１の側面図を示している。一部の実施形態では、光検出素子５、例えば、相補型金属酸化物半導体（ＣＭＯＳ）センサは、基板３の上に設置される。光検出素子５は、レンズ駆動モジュール１を通過する光線を受け、画像信号を生成する。また、基板３は、２つの導電性ソケット３１（図５は、１つの導電性ソケットだけを示している）を含み、電気信号を供給、または電気信号を受信する。
【００４９】
一部の実施形態では、レンズ駆動モジュール１が基板３に連結されたとき、液体連結材料３０（例えば、接着剤）がレンズ駆動モジュール１のベース１９の光出射側面１９２または基板３の表面に塗布される。次いで、レンズ駆動モジュール１の光軸は、光検出素子５の中心と一致し、且つレンズ駆動モジュール１の電気端子２０の第１のセグメント２１０は、導電性ソケット３１内に差し込まれる。このとき、ベース１９は、液体連結材料３０によって基板３と連結される。レンズ駆動モジュール１は、基板３の上に強固に固定される。
【００５０】
従来技術では、電気端子は、位置決め部材に当接させる上当接面および下当接面を有さないため、射出成型に埋設するプロセスのとき、位置決め部材が鋳型の中に配置されて、電気端子の移動を制限する必要がある。そのため、位置決め部材を除去した後、空孔がベース上に形成される。液体連結材料によってベースを基板と結合させるとき、上述の液体連結部材の一部が空孔の内部に流れ込むことになる。この現象はベースが基板と強固に結合することができなくなり、外力の衝撃があったときに、ベースが基板から分離される、または既定の位置から移動されることになる。
【００５１】
反対に、本発明の電気端子は、位置決め部材に当接させる上当接面および下当接面を有するため、上当接面および下当接面は、ベースの光入射側面と光出射側面からそれぞれ露出し、射出成型に埋設するプロセスのとき、位置決め部材が鋳型の中に配置される必要がなくなる。光入射側面および／または光出射側面は、空孔を形成しないため、上述の現象が生じるのを回避することができる。
【００５２】
本開示及びそれらの利点の一部の実施形態が詳細に説明されてきたが、添付の請求の範囲によって定義されるように、本開示の精神および範囲を逸脱せずに、本明細書において種々の変更、代替、および改変をすることができることを理解すべきである。例えば、本明細書で述べられる特徴、機能、プロセス、および材料の多くが本開示の範囲を逸脱することなく変更できることが当業者にとっては容易に理解されるだろう。また、本出願の範囲は、本明細書中に述べられたプロセス、機械、製造、物質の組成、手段、方法、及びステップの特定の実施形態に限定されることを意図するものではない。当業者が本開示の開示から容易に諒解するように、本明細書で述べられた対応する実施形態と、実質的に同様の機能を実行するか、または実質的に同様の結果を達成する、現存の、または後に開発される、開示、プロセス、機械、製造、物質の組成、手段、方法、またはステップが本開示に従って利用され得る。よって、添付の特許請求の範囲は、上述のプロセス、機械、製造、物質の組成、手段、方法、またはステップを含むように意図される。また、添付の特許請求の範囲は、全てのそのような変更および同様の配置を包含するように、最も広義な解釈が与えられるべきである。
【符号の説明】
【００５３】
１  レンズ駆動モジュール
３  ベース
５  光検出素子
１０  上ハウジング
１０１  側部ハウジング部材
１０３  開口
１０５  上部ハウジング部材
１１  レンズ
１２  上スプリングシート
１３  下スプリングシート
１３１  位置決め孔
１４  レンズホルダー
１４１  外側面
１４６  通路
１５  駆動アセンブリ
１６  磁性素子
１７  コイル
１８  位置センサユニット
１８１  基準素子
１８３  センサ素子
１９  ベース
１９１  光入射側面
１９２  光出射側面
１９３  側面
１９５  開口
２０  電気端子
２１０  第１のセグメント
２１１  第１の縁部
２２０  第２のセグメント
２２１  第１のサブセグメント
２２２  第２のサブセグメント
２２３  中間境界線
２２４  第２の縁部
２２５  下表面（下当接面）
２３０  中間部セグメント
２３１  第１の境界
２３２  第２の境界
２３３  位置決めバンプ
２３４  上表面（上当接面）
３０  液体連結材料
Ｌ１  延伸の長さ
Ｌ２  延伸の長さ
Ｐ１  第１の平面
Ｐ２  第２の平面
Ｔ  厚さ
【図１】
0006488269.tif 000002
【図２Ａ】
0006488269.tif 000003
【図２Ｂ】
0006488269.tif 000004
【図３Ａ】
0006488269.tif 000005
【図３Ｂ】
0006488269.tif 000006
【図４】
0006488269.tif 000007
【図５】
0006488269.tif 000008